(57)【要約】【課題】パラペットの軒先部分に対する位置関係を容易に調整でき、また、そのパラペットの形状が変わった場合でも、コストアップを極力伴うことなく小幅な変更で対処可能な雨樋支持具を提供する。【解決手段】本発明の雨樋支持具２は、軒先部分１に取り付けられかつ軒樋６が掛け渡されて吊下される軒樋吊具本体部４に、軒先部分１に対して離反接近する方向に、パラペット１０を固定保持するパラペット固定部８がスライド調整可能に設けられている。【選択図】  図１
2004324117.tif 000002
【特許請求の範囲】
【請求項１】
軒先部分に取り付けられかつ軒樋が掛け渡されて吊下される軒樋吊具本体部に、前記軒先部分に対して離反接近する方向に、パラペットを固定保持するパラペット固定部がスライド調整可能に設けられていることを特徴とする雨樋支持具。
【請求項２】
前記軒樋吊具本体部に前記パラペット固定部をスライド可能に保持しかつ前記軒先部分から突き出る方向に延びるスライド保持突起部が一体に形成され、前記パラペット固定部に前記スライド保持突起部に支持される被支持部が形成されていることを特徴とする請求項１に記載の雨樋支持具。
【請求項３】
前記被支持部に前記スライド保持突起部に嵌合する嵌合溝が形成されていることを特徴とする請求項２に記載の雨樋支持具。
【請求項４】
前記スライド保持突起部が断面Ｔ字形状で、前記嵌合溝が前記スライド保持突起部の断面Ｔ字形状に対応する断面Ｔ字形状であることを特徴とする請求項３に記載の雨樋支持具。
【発明の詳細な説明】
【０００１】
【発明の属する技術分野】
本発明は、軒先部分に軒樋を掛け渡して吊下するのに用いられる雨樋支持具の改良に関するものである。
【０００２】
【従来の技術】
従来から、軒先部分に軒樋を掛け渡して吊下する雨樋支持具が知られている。この雨樋支持具には、軒樋吊具本体部を軒先部分に対して離反接近する方向に位置調整可能としたものが知られている（特許文献１参照）。
【０００３】
【特許文献１】
特開平０５−２２２８１２号公報
【０００４】
【発明が解決しようとする課題】
ところで、雨樋支持具には、軒樋吊具本体部にパラペットを一体に設ける構成のものも知られているが、従来、パラペットを固定保持するパラペット固定部が軒樋吊具本体部に一体に形成されているので、パラペットの軒先部分に対する位置を変えるたびに雨樋支持具の構造を変えなければならず、また、パラペットの形状を変更した場合、雨樋支持具全体の構造を変えなければならないという不都合がある。
【０００５】
本発明は、上記の事情に鑑みて為されたもので、その目的は、パラペットの軒先部分に対する位置関係を容易に調整でき、また、そのパラペットの形状が変わった場合でも、コストアップを極力伴うことなく小幅な変更で対処可能な雨樋支持具を提供するところにある。
【０００６】
【課題を解決するための手段】
請求項１に記載の雨樋支持具は、軒先部分に取り付けられかつ軒樋が掛け渡されて吊下される軒樋吊具本体部に、前記軒先部分に対して離反接近する方向に、パラペットを固定保持するパラペット固定部がスライド調整可能に設けられていることを特徴とする。
【０００７】
請求項１に記載の雨樋支持具によれば、軒樋吊具本体部にパラペットを固定保持するパラペット固定部を軒先部分に対して離反接近する方向にスライド調整可能としたので、重厚感を増すことができると共に、狭小地等に建てられる家屋の場合には隣地との敷地境界線に対して適宜パラペットの位置を容易に調整できる。
【０００８】
また、パラペットの形状を変更した場合であっても、コストアップを極力抑制しつつパラペット固定部のみの形状を変更するのみで対処することができる。
【０００９】
請求項２に記載の雨樋支持具は、前記軒樋吊具本体部に前記パラペット固定部をスライド可能に保持しかつ前記軒先部分から突き出る方向に延びるスライド保持突起部が一体に形成され、前記パラペット固定部に前記スライド保持突起部に支持される被支持部が形成されていることを特徴とする。
【００１０】
請求項２に記載の雨樋支持具によれば、パラペット固定部に被支持部を設けてこの被支持部をスライド保持突起部に支持させることにしたので、その支持や位置決めを容易に行うことができる。
【００１１】
請求項３に記載の雨樋支持具は、前記被支持部に前記スライド保持突起部に嵌合する嵌合溝が形成されていることを特徴とする。
【００１２】
請求項３に記載の雨樋支持具によれば、被支持部に嵌合溝を形成して、溝と突起の嵌合によりパラペット固定部をスライド保持突起部に支持させることにしたので、安定してパラペット固定部を軒樋吊具本体部に支持させつつパラペットの位置調整を行うことができる。
【００１３】
請求項４に記載の雨樋支持具は、前記スライド保持突起部が断面Ｔ字形状で、前記嵌合溝が前記スライド保持突起部の断面Ｔ字形状に対応する断面Ｔ字形状であることを特徴とする。
【００１４】
請求項４に記載の雨樋支持具によれば、断面Ｔ字形状の凸部と溝部との嵌合構造を採用しているので、調整作業中でもパラペット固定部を安定して軒樋吊具本体部に支持させることができ、パラペット調整作業を安定して行うことができる。
【００１５】
【発明の実施の形態】
図１において、１は家屋の軒先部分を示す。その家屋の軒先部分１には、雨樋支持具２が設けられている。この雨樋支持具２は図２に示すように家屋取り付け板部３を有する。その家屋取り付け板部３には左右両側にそれぞれ２個のボルト挿通穴３ａが設けられ、雨樋支持具２は例えば図示を略す釘やビスにより軒先部分１に取り付けられる。
【００１６】
雨樋支持具２は家屋取り付け板部３と一体の軒樋吊具本体部４を有する。軒樋吊具本体部４は、軒先部分１から突き出す方向に延在され、その先端及び下部に軒樋６を係止する爪部４ａ、４ｂが形成されている。雨樋支持具２は家屋の軒先部分１に所定間隔を開けて取り付けられ、軒樋６はその爪部４ａ、４ｂに吊下されて、軒樋吊具本体部４間に掛け渡される。
【００１７】
軒樋吊具本体部４の上部４ｃには、軒先部分１から突き出す方向に延びるスライド保持突起部７が一体に設けられている。このスライド保持突起部７には、図３（ａ）に示すようにこのスライド保持突起部７が延びる方向に等間隔を開けて複数個のボルト挿通穴７ａが形成されている。
【００１８】
スライド保持突起部７には、パラペット固定部８がスライド可能に保持される。このパラペット固定部８は、スライド保持突起部７に支持される被支持部９と、パラペット１０が固定保持される起立部１１とを有する。この被支持部９はスライド保持突起部７が延びる方向に長く延びる形状とされ、その延びる方向に延びる断面Ｉ字形状の嵌合溝１２が図３（ａ）に示すように形成されている。
【００１９】
パラペット固定部８はその嵌合溝１２をスライド保持突起部７に嵌合させて支持させることにより軒先部分１に対して離反接近する方向に位置調整される。その被支持部９には、スライド保持突起部７に形成されているボルト挿通穴７ａの間隔と同一間隔を開けてボルト挿通穴９ａが形成されている。
【００２０】
パラペット１０は間隔を開けて設けられた雨樋支持具２間に取り付けられているパラペット固定部８の起立部１１に掛け渡されて固定保持される。このパラペット１０の軒先部分１に対する突き出し量を調整する場合には、パラペット固定部８をスライド保持突起部７に対してスライドさせ、所望の位置でボルト挿通穴７ａ、９ａにボルト１３、１３を２カ所で締結すれば、パラペット８がスライド保持突起部７に確実に固定される。
【００２１】
この発明の実施の形態による雨樋支持具２によれば、軒樋吊具本体部４にパラペット１０を固定保持するパラペット固定部８を軒先部分に対して離反接近する方向にスライド調整可能としたので、重厚感を増すことができると共に、狭小地等に建てられる家屋の場合には隣地との敷地境界線に対して適宜パラペット１０の位置を容易に調整できる。
【００２２】
また、パラペット１０の形状を変更した場合であっても、コストアップを極力抑制しつつパラペット固定部８のみの形状を変更するのみで対処することができる。
【００２３】
また、被支持部９に嵌合溝１２を形成して、溝と突起の嵌合によりパラペット固定部８をスライド保持突起部７に支持させることにしたので、安定してパラペット固定部８を軒樋吊具本体部４に支持させつつパラペット１０の位置調整を行うことができる。
【００２４】
以上発明の実施の形態では、被支持部９に形成されている嵌合溝１２を断面Ｉ次形状としたが、図３（ｂ）に示すように、スライド保持突起部７を断面Ｔ字形状とし、嵌合溝１２をスライド保持突起部７の断面Ｔ字形状に対応する断面Ｔ字形状としてもよい。
【００２５】
図３（ｂ）に示す雨樋支持具２によれば、断面Ｔ字形状の凸部と溝部との嵌合構造を採用しているので、調整作業中でもパラペット固定部８を安定して軒樋吊具本体部４に支持させることができ、パラペット調整作業を安定して行うことができる。
【００２６】
なお、雨樋支持具２のスライド保持突起部７とパラペット固定部８とは、溝と突起の関係による嵌合構造を採用しなくとも、図３（ｃ）に示すように、軒樋吊具本体部４の上部にＬ字形状のスライド保持突起部７を形成し、一方、パラペット固定部８の被支持部９にこのスライド保持突起部７に上部から摺接係合する係合壁部８ａを設ける構成としても良い。
【００２７】
このような構造を採用しても、パラペット固定部８の支持や位置決めを容易に行うことができる。
【００２８】
なお、ボルト挿通穴７ａ、９ａのいずれか一方は長穴であっても良い。
【００２９】
【発明の効果】
請求項１に記載の雨樋支持具によれば、軒樋吊具本体部にパラペットを固定保持するパラペット固定部を軒先部分に対して離反接近する方向にスライド調整可能としたので、重厚感を増すことができると共に、狭小地等に建てられる家屋の場合には隣地との敷地境界線に対して適宜パラペットの位置を容易に調整できる。
【００３０】
また、パラペットの形状を変更した場合であっても、コストアップを極力抑制しつつパラペット固定部のみの形状を変更するのみで対処することができる。
【００３１】
請求項２に記載の雨樋支持具によれば、軒樋吊具本体部にパラペット固定部をスライド可能に保持しかつ軒先部分から突き出る方向に延びるスライド保持突起部を一体に形成し、パラペット固定部にスライド保持突起部に支持される被支持部を形成したので、その支持や位置決めを容易に行うことができる。
【００３２】
請求項３に記載の雨樋支持具によれば、被支持部に嵌合溝を形成して、溝と突起の嵌合によりパラペット固定部をスライド保持突起部に支持させることにしたので、安定してパラペット固定部を軒樋吊具本体部に支持させつつパラペットの位置調整を行うことができる。
【００３３】
請求項４に記載の雨樋支持具によれば、断面Ｔ字形状の凸部と溝部との嵌合構造を採用しているので、調整作業中でもパラペット固定部を安定して軒樋吊具本体部に支持させることができ、パラペット調整作業を安定して行うことができる。
【図面の簡単な説明】
【図１】本発明に係わる雨樋支持具を軒先部分に取り付けれた状態を示す図である。
【図２】図１に示す雨樋支持具の構造を示す斜視図である。
【図３】雨樋支持具の各種の構造を断面で示す説明図であって（ａ）はその雨樋支持具のスライド保持突起とパラペット固定部とをＩ字溝により嵌合させた状態を示し、（ｂ）はその雨樋支持具のスライド保持突起とパラペット固定部とをＴ字溝により嵌合させた状態を示し、（ｃ）はその雨樋支持具のスライド保持突起とパラペット固定部とを係合させた状態を示す。
【符号の説明】
１…軒先部分
２…雨樋支持具
４…軒樋吊具本体部
７…スライド保持突起部
８…パラペット固定部
１０…パラペット
【図１】
2004324117.tif 000003
【図２】
2004324117.tif 000004
【図３】
2004324117.tif 000005